(57)【要約】【課題】  本発明は、桃を安全かつ手軽にカットすることを目的とした、桃の球面グリップカッターを提供する。【解決手段】  桃の径とほぼ同等の径を持つ、１／４球体の球面部分を内包し、球面シェル構造を成す球面シェル体と、単独又は該球面シェル体に係止手段Ａにより係止して使用されるほぼ半円形で直線縁に波状刃を有する薄板であるカットプレートと単独又は該球面シェル体に係止手段Ｂにより係止して使用される断面がＵ形である種抜きプレート体の３点で構成され、セット製品として使用される桃の球面グリップカッターであって、球面シェル体においては、端部に半円形縁を持つ球面グリップ部と球面上の隙間空間部ともう片方の端部縁の皮むきサポート部が９０°の角度中にそれぞれが並んで設けられ、半円形縁には複数のカットプレートの当接支持面とスライドストッパーと係止手段Ａが設けられることを特徴とする。【選択図】図１２
2020040195.tif 000002
【特許請求の範囲】
【請求項１】
桃の径とほぼ同等の径を持つ１／４球体の球面部分を内包する球面シェル構造を成す球面シェル体と、単独又は該球面シェル体に係止して使用されるカットプレートで構成され、セット製品として使用される桃の球面グリップカッターであって、
球面シェル体に於いて、
上端部に半円周縁を持ち、該半円周縁から所定距離下方の該半円周縁と平行な面で１／４球体の球面部分を切り取った形状の球面グリップ部と球面上の隙間空間部ともう片方の端部にアーチ形に設けられた小幅板である皮むきサポート部が９０°の角度区間中にそれぞれが同一球面内に順に並んで設けられ、半円周縁には複数のカットプレート当接支持面、カットプレートスライド制止体と係止手段Ａが水平又は垂直に突出して設けられ、
付属のカットプレートに於いて、
球面グリップ部の半円周縁とほぼ同じ半径の半円形を基本とし、直線縁部に波状刃を有した薄板であり、球面シェル体のカットプレート当接支持面とカットプレートスライド制止体と係止手段Ａに機能対応する形状又は材質を有していることを特徴とする桃の球面グリップカッター。
【請求項２】
球面シェル体とカットプレートを着脱自在に係止する係止手段Ａを球面シェル体の所定の位置に磁石を設け、カットプレートを磁石にくっつく材質の金属板にして構成した請求項１に記載の桃の球面グリップカッター。
【請求項３】
球面シェル体の球面上の隙間空間部に嵌め込む形で着脱自在に係止して使用する、断面がＵ形のスコップ状の種抜きプレート体を設け、球面シェル体とカットプレートと該種抜きプレート体の３点で構成され、セット製品として使用され、球面シェル体と種抜きプレート体には両者を着脱自在に係止する係止手段Ｂを設け、種抜きプレート体はそれ自身のグリップ部を持つことを特徴とした請求項１又は２に記載の桃の球面グリップカッター。
【請求項４】
球面シェル体の１／４球体上の空洞部に嵌め込む形で着脱自在に係止して使用する、断面がＵ形のおけさ傘状の種抜きプレート体を設け、球面シェル体とカットプレートと該種抜きプレート体の３点で構成され、セット製品として使用され、球面シェル体と種抜きプレート体には両者を着脱自在に係止する係止手段Ｂを設け、種抜きプレート体はそれ自身のグリップ部を持つことを特徴とした請求項１又は２に記載の桃の球面グリップカッター。
【請求項５】
球面シェル体又は球面シェル体と種抜きプレート体の表面に本来の形状に加え、所定形状の凹凸又は細凹凸又は孔又は着彩を加えて全体で動物の顔形状３Ｄを構成した請求項３又は４に記載の桃の球面グリップカッター。
【発明の詳細な説明】
【技術分野】
【０００１】  本発明は、桃を安全かつ手軽にカットすることを目的とした、桃の球面グリップカッターに関するものである。
【背景技術】
【０００２】  従来、桃のカットは果物ナイフや包丁を巧みに使って行われていた。
皮むきは皮が柔らかい桃の場合は指先で皮の端をつまんだり、ナイフと指で皮の端を挟んで引っ張って行われていた。
硬い皮の場合は、ナイフで切り取ったり球形果物用のピーラーを使って行われていた。
また、桃のカットはリンゴの１／８カッターやマンゴ−カッターを流用して行われる場合もあった。
【先行技術文献】
【０００３】
【先行技術文献１】
実登３１９０２６３号公報
【先行技術文献２】
特開２０１５−０８４９２４号公報
【先行技術文献３】
特開２０１３−０５５９２９号公報
【先行技術文献４】
特開２００２−０２８８９２号公報
【発明の概要】
【発明が解決しようとする課題】
【０００４】  桃には他の球形果物とは違う桃特有の性質がある。
薄くて破れやすい強度が不安定な皮、みずみずしくて柔らかくて繊維が豊富な果肉、カットの仕方を複雑にする繊維が絡まった硬い大きな種、直径が８〜９ｃｍくらいの比較的径のバラつきが少ない球形フルーツで人間の掌に程よく納まるサイズであること。
おいしい桃はみずみずしくてとても柔らかいが故にナイフで簡単に切って食べられるがそれはナイフが器用に使える大人にとってのことであり、ユニバーサルデザインの観点からは、前記の特性を持つ桃を切って食べることは多少危険を伴い、切り方が複雑で難しい。
本発明はそのような課題を解決して子供からお年寄りまで安全で手軽に使える桃の球面グリップカッターを提供するものである。
【課題を解決するための手段】
【０００５】  桃の径とほぼ同等の径を持つ１／４球体の球面部分を内包する球面シェル構造を成す球面シェル体と、単独又は該球面シェル体に係止して使用されるカットプレートで構成され、セット製品として使用される桃の球面グリップカッターである。
球面シェル体に於いて、
上端部に半円周縁を持ち、該半円周縁から所定距離下方の該半円周縁と平行な面で１／４球体の球面部分を切り取った形状の球面グリップ部と球面上の隙間空間部ともう片方の端部にアーチ形に設けられた小幅板である皮むきサポート部が９０°の角度区間中にそれぞれが同一球面内に順に並んで設けられ、半円周縁には複数のカットプレート当接支持面、カットプレートスライド制止体と係止手段Ａが水平又は垂直に突出して設けられている。
付属のカットプレートに於いて、
球面グリップ部の半円周縁とほぼ同じ半径の半円形を基本とし、直線縁部に波状刃を有した薄板であり、球面シェル体のカットプレート当接支持面とカットプレートスライド制止体と係止手段Ａに機能対応する形状又は材質を有していることを特徴としている。【０００６】球面シェル体とカットプレートを着脱自在に係止する係止手段Ａを球面シェル体の所定の位置に磁石を設け、カットプレートを磁石にくっつく材質の金属板にして構成している。【０００７】  球面シェル体の球面上の隙間空間部に嵌め込む形で着脱自在に係止して使用する、断面がＵ形のスコップ状の種抜きプレート体を設け、球面シェル体とカットプレートと該種抜きプレート体の３点で構成され、セット製品として使用され、球面シェル体と種抜きプレート体には両者を着脱自在に係止する係止手段Ｂを設け、種抜きプレート体はそれ自身のグリップ部を持つことを特徴としている。【０００８】  球面シェル体の１／４球体上の空洞部に嵌め込む形で着脱自在に係止して使用する、断面がＵ形のおけさ傘状の種抜きプレート体を設け、球面シェル体とカットプレートと該種抜きプレート体の３点で構成され、セット製品として使用され、球面シェル体と種抜きプレート体には両者を着脱自在に係止する係止手段Ｂを設け、種抜きプレート体はそれ自身のグリップ部を持つことを特徴としている。【０００９】  球面シェル体又は球面シェル体と種抜きプレート体の表面に本来の形状に加え、所定形状の凹凸又は細凹凸又は孔又は着彩を加えて全体で動物の顔形状３Ｄを構成している。
以上を特徴とする桃の球面グリップカッターである。
【発明の効果】
【００１０】  本発明の桃の球面グリップカッターによれば以下のような有益な効果が得られる。
請求項１に記載の発明によれば、以下のような効果を有する。【００１１】  掌を本発明本体の球面グリップ部に被せて持つことにより安定した桃の種抜き２分割カットを行うことができる。図１７の▲２▼に示すように種抜き２分割カットをする際、掌の内側が球面シェル体の曲面に接し、自ずと桃の外周面に対して回転の直角が保たれて安定して楽に、きれいに種に届く筋を入れることができる。
また、裏返しに持って、桃の小片の各球面にアーチ状の皮むきサポート部が桃の丸みに沿って触れて手首のスナップ利用の安定した皮むきができる。【００１２】  セット製品の各本体を単独又は合体使用で桃のカット工程に於いて、柔軟にカット手段を提供できる便利さがある。
桃の２分割カットは球面シェル体とカットプレートの合体使用。
桃の細分割カットはカットプレートの単独使用。
桃小片の皮むきは球面シェル体の単独使用。
収納時の置物インテリア装飾は球面シェル体とカットプレートの合体使用。
以上４つのことが本発明１つで行えて便利である。【００１３】  鋭利な刃物を使わないでプレートを利用している為、若年者や高齢者に優しいユニバーサルデザイン機能が得られる。【００１４】  図１、図３のように、カットプレートの輪郭形を利用して動物の顔の模様をカットプレート部分に持たせることが可能で、製品本来の機能に可愛い、面白い等の感性的な機能を付加して楽しさを創り出すことができる。
桃の季節以外の長期間の収納時に、コーヒーカップやグラス等と並べてキッチンを飾る置物として使うことが出来て便利である。【００１５】  繊維が豊富な桃の果肉をプレートでカットする際、刃に直角方向に押して切るのではなかなかうまくいかないが、波状刃を持つカットプレートでのこぎりのように往復スライドさせながら切ると楽に、安全に、きれいに切れる。
のこぎりの刃のような鋭角になる凸部を排除して滑らかな波形にしているため刃先に指が触れても安全である。【００１６】  収納の際、カットプレートの波状刃部分は図２のｈに示すように若干収納面から浮き上がる設計となっていて衛生的である。【００１７】  窪み部分を揃えて持つことによる一時係止機能がフレキシブルで便利である。
係止手段Ａが磁石利用のタイプは、両方の効果が混ざってよりフレキシブルで便利である。【００１８】  請求項２に記載の発明によれば、請求項１に記載の発明の効果に加え、以下の効果を有する。【００１９】  窪み部分を揃えて持つことによる一時係止機能以外の永続的係止機能が得られる。磁石利用は球面シェル体とカットプレートを着脱自在に係止する係止手段の機構をシンプルなものとすることが出来、操作性を良くし、製品の凹凸を少なくして衛生的にし、また、部品数を減らして制作コストを少なくするメリットがある。【００２０】  実施例のように小型のネオジウム磁石を使用して、磁石の吸着力をやや小さめで使うと、使用中又は収納中に不意に何かに強力にくっつくことからの安全性を高めることが出来、使用中の操作性も高めることができる。【００２１】  請求項３に記載の発明によれば、請求項１又は２に記載の発明の効果に加え、以下の効果を有する。【００２２】  桃の種はスプーンで除去することが一般に行われているが、スプーンは縁が鈍くうまくいかない時もある。鋭利という程ではないある程度の鋭さがある種抜きプレート体は切れにくい繊維が絡まる桃の種を楽に的確に取り除くことが出来て便利である。
また、セット製品で本発明に付属している為、一連の桃のカット工程の中で大スプーンを用意しなくてもすぐに間に合って便利である。【００２３】  セット製品の各本体を単独又は合体使用で桃のカット工程に於いて、柔軟にカット手段を提供できる便利さがある。
桃の２分割カットは球面シェル体とカットプレートの合体使用。
２分割された桃からの種外しは種抜きプレート体の単独使用。
桃の細分割カットはカットプレートの単独使用。
桃小片の皮むきは球面シェル体の単独使用。
以上４つのことが本発明１つで行えて便利である。【００２４】  請求項４に記載の発明によれば、請求項１又は２に記載の発明の効果に加え、以下の効果を有する。【００２５】  桃の種はスプーンで除去することが一般に行われているが、スプーンは縁が鈍くうまくいかない時もある。鋭利という程ではないある程度の鋭さがある種抜きプレート体は切れにくい繊維が絡まる桃の種を楽に的確に取り除くことが出来て便利である。
また、セット製品で本発明に付属している為、一連の桃のカット工程の中で大スプーンを用意しなくてもすぐに間に合って便利である。【００２６】  球面シェル体の表面の丸みを顔表面に見立て、球面シェル体のカットプレート当接支持面の左右の耳状の出っ張り形状を目に見立て、球面上の隙間空間部及び１／４球体上の空洞部を開いた口に見立て、中に合体されたおけさ傘状の種抜きプレート体を舌に見立てた立体的なカエルの顔を構成している。本発明実施例３の持つ機能的形状そのものがそのままほぼ完成されたユーモラスなカエル形になる、意外なカエル形意匠出現効果である。【００２７】  単体又は合体状態に於いて、シンプルな構造をしている為、制作が簡単で安価な製品を提供することができる。【００２８】  桃の季節以外の長期間の収納時に、コーヒーカップやグラス等と並べてキッチンを飾る置物として使うことも出来て便利である。【００２９】  セット製品の各本体を単独又は合体使用で桃のカット工程に於いて、柔軟にカット手段を提供できる便利さがある。
桃の２分割カットは球面シェル体とカットプレートの合体使用。
２分割された桃からの種外しは種抜きプレート体の単独使用。
桃の細分割カットはカットプレートの単独使用。
桃小片の皮むきは球面シェル体の単独使用。
以上４つのことが本発明１つで行えて便利である。【００３０】  請求項５に記載の発明によれば、請求項３又は４に記載の発明の効果に加え、以下の効果を有する。【００３１】  球面シェル体又は球面シェル体と種抜きプレート体グリップ部の球面形をベースとした機能形状を動物の顔の模様に見立て、不足の形状を本体に付け加えることにより、製品本来の機能に可愛い、面白い等の感性的な機能を付加して楽しさを創り出すことができる。
桃の季節以外の長期間の収納時に、コーヒーカップやグラス等と並べてキッチンを飾る置物として使うことも出来て便利である。
【図面の簡単な説明】
【００３２】
【図１】  本発明実施例１の斜視図である。
【図２】  本発明実施例１の球面シェル体とカットプレートを合体した状態の断面図である。
【図３】  本発明実施例１の２分割カット時の持ち方を表す、球面シェル体とカットプレートを合体した状態の斜視図である。
【図４】  本発明実施例２のカットプレートの平面図である。
【図５】  種抜きプレート体の表と裏の関係を示す説明図である。
【図６】  本発明実施例２の斜視図である。
【図７】  本発明実施例２の球面シェル体とカットプレートと種抜きプレート体の３点を合体した状態の斜視図である。
【図８】  本発明実施例２の球面シェル体の縁コーナー部近くを持って少し撓ませ、コーナー部分に隙間をつくり、皮むきサポート部をずらせた状態の説明斜視図、
【図９】  ２分割カット時の本発明各部と桃各部の空間関係を示す説明図である
【図１０】  本発明実施例２の係止手段Ａと係止手段Ｂを示す説明断面図である。
【図１１】  磁石を使った係止手段Ｂを示す説明断面図である。
【図１２】  本発明実施例３の斜視図である。
【図１３】  本発明実施例３の球面シェル体とカットプレートと種抜きプレート体の３点を合体した状態の斜視図である。
【図１４】  本発明実施例３の種抜きプレート体の左側面図である。
【図１５】  本発明実施例３の球面シェル体とカットプレートと種抜きプレート体の３点を合体した状態の中央部の断面図である。
【図１６】  本発明実施例３の図面での上下方向を逆さにして表現した、球面シェル体とカットプレートと種抜きプレート体を合体した状態の斜視図である。
【図１７】  本発明の使用中の状態を桃のカットの工程順に示した説明図である。
【発明を実施するための形態】
【００３３】  以下、本発明の実施の形態について実施例に従って説明する。
【実施例１】
【００３４】  図１〜図３、図９は本発明の桃の球面グリップカッターの実施例１を示す図面であり、図１は球面シェル体とカットプレートのセット製品である本発明の説明斜視図であり、大きな矢印はその位置で合体して使用することを表すものであり、図２はカットプレートを所定位置に係止した状態の球面シェル体中央部の断面図、図３は桃の２分割カット時の本発明の持ち方を表す、球面シェル体とカットプレートを合体した状態の説明斜視図、図９は桃の２分割カット時の本発明各部と桃各部の空間関係を示す説明図である。【００３５】  桃の径とほぼ同等の径を持つ１／４球体の球面部分を内包する球面シェル構造を成す球面シェル体（１）と、単独又は該球面シェル体に係止して使用されるカットプレート（２）で構成され、セット製品として使用される桃の球面グリップカッターである。
球面シェル体（１）に於いて、
上端部に半円周縁（４）を持ち、該半円周縁から所定距離下方の該半円周縁と平行な面で１／４球体の球面部分を切り取った形状の球面グリップ部（５）と球面上の隙間空間部（６）ともう片方の端部にアーチ形に設けられた小幅板（２０）である皮むきサポート部（７）が９０°の角度区間中にそれぞれが同一球面内に順に並んで設けられ、半円周縁（４）には複数のカットプレート当接支持面（８）、カットプレートスライド制止体（９）と係止手段Ａ（１０）が水平又は垂直に突出して設けられている。
付属のカットプレート（２）に於いて、
球面グリップ部（５）の半円周縁（４）とほぼ同じ半径の半円形を基本とし、直線縁部に波状刃（１１）を有した薄板であり、球面シェル体（１）のカットプレート当接支持面（８）とカットプレートスライド制止体（９）と係止手段Ａ（１０）に機能対応する形状又は材質を有していることを特徴としている。
実施例１のカットプレート当接支持面（８）は全部で４カ所設けられている。半円周縁（４）から水平方向に突出させて設けている。うち２つは、半円周縁の両端部に外側に突出させて矩形の当接支持面を左右対に設けている。残る２つは、半円周縁の中間部に、動物の耳のような半円形の当接支持面を左右対に外側に突出させて設けている。
一方、カットプレートに於いては、該当接支持面に機能対応する、アウトライン形状を備え、球面シェル体の所定位置に重ねた時に球面シェル体の各当接支持面の形状と位置を内包する面形状を持たせている。
実施例１のカットプレートスライド制止体（９）は全部で５カ所設けられている。
左右の矩形の当接支持面の外側に左右対で、矩形のカットプレートスライド制止体（９）を垂直に立ち上げて設けている。カットプレートはこの左右の制止体に挟まれて左右方向の動きが抑止されるよう、横幅を該制止体間に挟まれる寸法に合わせて設けられている。
球面シェル体（１）の半円周縁（４）の中央部から垂直に立ち上げて半円形のカットプレートスライド制止体（９）を設けている。カットプレートはこの制止体に所定の位置に於いて、前方向へのスライドを抑止されるような形状、寸法を備えている。
球面シェル体の動物の耳形の左右２つの半円形の当接支持面の中央に垂直に立ち上げて設けた低い立ち上がりの円柱状のカットプレートスライド制止体（９）を設けている。
カットプレートはこの部分に対応するカ所に孔が設けられ、この制止体を孔に収めて３６０°全水平方向に制止するようにしている。
球面シェル体（１）とカットプレート（２）との間には、球面シェル体（１）とカットプレート（２）を所定位置で着脱自在に係止する係止手段Ａ（１０）が設けられている。
球面シェル体（１）とカットプレート（２）を着脱自在に係止する係止手段Ａ（１０）を球面シェル体（１）の所定の位置に磁石（１３）を設け、カットプレート（２）を磁石（１３）にくっつく材質の金属板にして構成している。
これにより、球面シェル体とカットプレートを合体した形で桃のカッティングに使用することが出来る。その時の本発明の持ち方は図３、図１７の▲２▼、図１７の▲６▼である。また、収納時も合体して動物形の置物としてキッチンの棚を飾ることができる。
なお、紛らわしいが、上記の永続的な係止手段の他、本発明には持ち方による短時間の係止手段がある。球面シェル体（１）とカットプレート（２）を重ね合わせて動物の耳部分の根元に両側から指を少しめり込ませて押え一時両者の位置を固定させた状態にして持つことが出来る。状況に応じて切る瞬間だけ柔軟に合体して使用できるので便利である。
磁石による係止手段Ａの場合は効果が複合して働くが磁石以外の係止手段Ａの場合は単独で働く。
図１、図３に示すようにカットプレート（２）の表面には本来の形状に加え、所定形状の穴又は細凹凸又は着彩を設けて全体で動物の顔形状２Ｄ（１４）を構成している。
本発明の実施例１では球面シェル体（１）部分の材質を一体成型によるプラスチック製とし、皮むきサポート部（７）部分の材質を薄い鋼板の小幅板（２０）の曲げ加工とし、両者をボルトとナット、ビス、リベット等を使用して繋いで設けている。また図１に示すように球面シェル体（１）の中央部分のカットプレートに接する位置に円柱状の小孔を設け、そこに係止手段Ａ（１０）である、φ４ミリ、高さ４ミリ程度の超小型ネオジウム磁石を埋め込んで設けている。
プラスチックの種類はポリプロピレンを使用している。【００３６】  本発明の主要な効果について、
球面シェル体にカットプレートを添えて押え、桃を２分割カットする際、球面シェル体の球面半径が桃の球体半径とほぼ同等であり、図９に示すように、球面シェル体と桃との空間関係は直径が８ｃｍ〜９ｃｍ程度のバラツキを持つ桃に於いては、桃の大小に係らず、球面シェル体は桃に接触せず、桃の周りを表面すれすれに周回する空間関係を有する。
掌を本発明本体の球面グリップ部に被せて持つことにより安定した桃の種抜き２分割カットを行うことができる。図３、図１７の▲２▼に示すように種抜き２分割カットをする際、掌の内側が球面シェル体の曲面に接し、自ずと桃の外周面に対して回転の直角が保たれて安定して楽に、きれいに種に届く筋を入れることができる。
また、図１７の▲６▼のように裏返しに持って、桃の小片の各球面にアーチ状の皮むきサポート部が桃の丸みに沿って触れて手首のスナップ利用の安定した皮むきができる。
皮むきに於いては図１７の▲６▼に示すように本体を持った時の掌の手根部をテーブル又はプレート面に当ててそこを回転軸に行い図のように桃の小片の皮を皮むきサポート部に当てて片方の手で皮の端部を摘んで引っ張りながら行うとスムーズな皮むきができる。
【実施例２】
【００３７】  図４〜図１１、図１７は本発明の桃の球面グリップカッターの実施例２を示す図面であり、図４はカットプレートの平面図、図５は種抜きプレート体の表裏の関係を示す説明図、図６は球面シェル体とカットプレートと種抜きプレートのセット製品である本発明の斜視図であり、大きな矢印２カ所はその位置でそれらを合体して使用することを表すものであり、図７は球面シェル体とカットプレートと種抜きプレートの３点を所定の位置で合体した状態の斜視図であり、種抜きプレートの隠れた部分を破線で示すものであり、図８は球面シェル体の縁コーナー部（２２）近くを持って本体を少し撓ませ、コーナー部分に隙間をつくり、皮むきサポート部の小幅板をずらせた状態の説明斜視図、図９は桃の２分割カット時の本発明各部と桃各部の空間関係を示す説明図、図１０は係止手段Ｂの説明断面図、図１１は磁石を使った係止手段Ｂの断面図、図１７は本発明使用中の状態を桃のカットの工程順に示した説明図で、▲１▼は製品初期の状態又はインテリア装飾の置物として、収納時の状態を示す説明図、▲２▼は種抜き２分割カット時の２分割筋入れの状態を示す説明図、▲３▼は本体は使わずに筋を入れた桃を両手で反対方向に捻って２つに割るところの説明図、▲４▼は種抜きプレート体で斜め２方向から差し込んで種を除去している状態の説明図、▲５▼はカットプレートで細分割分カットを行っているところの説明図、▲６▼は球面シェル体の皮むきサポート部で皮をむいている状態の説明図である。【００３８】  実施例２の構成は実施例１と殆ど同じであるが、以下に述べる点で異なっている。
球面シェル体（１）の球面上の隙間空間部（６）に嵌め込む形で着脱自在に係止して使用する、断面がＵ形のスコップ状の種抜きプレート体（３）を設け、球面シェル体とカットプレートと該種抜きプレート体の３点で構成され、セット製品として使用され、球面シェル体と種抜きプレート体には両者を着脱自在に係止する係止手段Ｂ（１５）を設け、種抜きプレート体はそれ自身のグリップ部（１６）を持つことを特徴としている。
実施例２では、球面シェル体と種抜きプレート体を着脱自在に係止する係止手段Ｂ（１５）は、小幅板（２０）の両端部を回転支点（２１）とし、大きな突起体である内側回転抑止体（２３）で小幅板を手前方向にのみ回転自在とし、小幅板より手前の球面シェル体の縁コーナー部（２２）付近に小さな突起体である外側回転抑止体（２４）を設け、種抜きプレート体のグリップ部の上縁及び下縁に嵌合溝（１７）を設け、図８に示すように球面シェル体の内側角付近を持って球面シェル体を撓ませ、小幅板の中央部を一時ずらせて、球面上の隙間空間部の内縁に種抜きプレート体の嵌合溝（１７）を挟み込み、小幅板を元に戻して回転抑止体で小幅板の回転を固定し、図１０に示すような所定の位置に係止する構成としている。
その他の係止手段Ｂの例
図１１に示すように、球面シェル体（１）と種抜きプレート体（３）を着脱自在に係止する係止手段Ｂ（１５）は、種抜きプレート体のグリップ部（１６）の上縁に嵌合溝（１７）を設け、下縁に磁石付きの半嵌合溝（１８）を設け、上縁の嵌合溝（１７）を球面シェル体（１）の球面上の隙間空間部（６）の上縁に溝部分を被せて当接させてそこを回転軸として回転させ、磁石付きの半嵌合溝（１８）を、磁石にくっつく性質を持った金属板で構成した皮むきサポート部（７）に当接させ、くっついて係止するようにしてもよい。
球面シェル体（１）又は球面シェル体（１）と種抜きプレート体（３）の表面に本来の形状に加え、所定形状の凹凸又は細凹凸又は孔又は着彩を加えて全体で動物の顔形状３Ｄ（１９）を構成している。
実施例２ではクマの顔を構成している。
本発明の実施例２では種抜きプレート体（３）部分の材質を薄い鋼板の曲げ加工とし、グリップ部分の材質を一体成型によるプラスチック製とし、両者をボルトとナット、ビス又はリベットを使用して繋いで設けている。プラスチックの種類はポリプロピレンを使用している。【００３９】  次に本発明の桃の球面グリップカッターの使い方を説明する。
１．図１７の▲１▼に示すのは本発明の製品の初期状態又は収納時の状態である。セット製品を係止手段により合体した状態である。カッターで使用しない時、収納時は動物の顔の置物にもなる。
２．図１７の▲２▼に示すように種抜き２分割カットをする際、掌の内側が球面シェル体の曲面に接し、自ずと桃の外周面に対して回転の直角が保たれて安定して楽に、きれいに種に届く筋を入れることができる。
３．図１７の▲３▼に示すように筋を入れた桃を両手で反対方向に捻って２つに割る。
４．次に、実施例１では大スプーンで種を除去する。実施例２、３では図１７の▲４▼で示すように種抜きプレート体で斜め２方向から差し込んで種を除去する。
５．図１７の▲５▼に示すようにカットプレートで細かいカットを行う。
６．図１７の▲６▼に示すようにアーチ形の皮むきサポート部を使って皮を取り除く。
【実施例３】
【００４０】  図９、図１２〜図１６は本発明の桃の球面グリップカッターの実施例３を示す図面であり、図９は桃の２分割カット時の本発明各部と桃の各部の空間関係を示す説明図、図１２は球面シェル体とカットプレートと種抜きプレートのセット製品である本発明の説明斜視図であり、大きな矢印はその位置でそれらを合体して使用することを表すものであり、図１３は球面シェル体とカットプレートと種抜きプレート体の３点を合体した状態の斜視図であり、主要な陰線を破線で示すものであり、図１４は種抜きプレート体左側面図、図１５は球面シェル体とカットプレートと種抜きプレート体を所定位置で合体させた状態の中央部の断面図、図１６は図面での上下関係を逆さにして表現した、球面シェル体とカットプレートと種抜きプレート体を所定位置で合体した状態の斜視図である。【００４１】  実施例３の構成は、実施例１又は実施例２と殆ど同じであるが、以下に述べる点で異なっている。
球面シェル体の１／４球体上の空洞部（２６）に嵌め込む形で着脱自在に係止して使用する、断面がＵ形のおけさ傘状（２７）の種抜きプレート体を設け、球面シェル体とカットプレートと該種抜きプレート体の３点で構成され、セット製品として使用され、球面シェル体と種抜きプレート体には両者を着脱自在に係止する係止手段Ｂ（１５）を設け、種抜きプレート体はそれ自身のグリップ部（１６）を持つことを特徴としている。
実施例３では、係止手段Ａで使用する磁石を係止手段Ｂの磁石として兼用し、種抜きプレート体を磁石に吸着する材質の金属板て構成している。
球面シェル体とカットプレートと種抜きプレート体の３者の係止に於いては、カットプレートを上、種抜きプレート体を下にしてそれぞれの所定位置が重なった状態で、球面シェル体に設けられている磁石に吸い寄せられて着脱自在に係止される。
その３者はそれぞれ単独に、又は適宜２者、３者を合体して、収納装飾を含めた桃のカット工程に柔軟に対応することができる。
球面シェル体の磁石面はカットプレートの当接支持面より種抜きプレート体の板厚分下げて設けられている。
実施例３では、球面シェル体の内側壁の左右の所定位置に壁から僅かに突出させて、合体された種抜きプレート体が綺麗なフォームで係止されるように水平方向の角度のガイド体である、種抜きプレート位置ガイド体が設けられている。
実施例３では、種抜きプレート体の表面にグリップ部を設けている。該プレートの片側に偏らせて設けている。このグリップ部は持つ際の摩擦係数を大きくするのが目的である。該プレートのグリップ部分に複数の小穴を設けてグリップ部（１６）としてもよい。（図示せず）
球面シェル体（１）又は球面シェル体と種抜きプレート体（３）の表面に本来の形状に加え、所定形状の凹凸又は細凹凸又は孔又は着彩を付加して全体で動物の顔形状３Ｄ（１９）を構成している。
実施例３ではカエルの顔を構成していて目玉の部分を付加している。
【符号の説明】
【００４２】１  球面シェル体
２  カットプレート
３  種抜きプレート体
４  半円周縁
５  球面グリップ部
６  球面上の隙間空間部
７  皮むきサポート部
８  カットプレート当接支持面
９  カットプレートスライド制止体
１０  係止手段Ａ
１１  波状刃
１２  窪み
１３  磁石
１４  動物の顔形状２Ｄ
１５  係止手段Ｂ
１６  グリップ部
１７  嵌合溝
１８  磁石付きの半嵌合溝
１９  動物の顔形状３Ｄ
２０  小幅板
２１  回転支点
２２  縁コーナー部
２３  内側回転抑止体
２４  外側回転抑止体
２５  孔
２６  １／４球体上の空洞部
２７  断面がＵ形のおけさ傘状
２８  種抜きプレート位置ガイド体
【図１】
2020040195.tif 000003
【図２】
2020040195.tif 000004
【図３】
2020040195.tif 000005
【図４】
2020040195.tif 000006
【図５】
2020040195.tif 000007
【図６】
2020040195.tif 000008
【図７】
2020040195.tif 000009
【図８】
2020040195.tif 000010
【図９】
2020040195.tif 000011
【図１０】
2020040195.tif 000012
【図１１】
2020040195.tif 000013
【図１２】
2020040195.tif 000014
【図１３】
2020040195.tif 000015
【図１４】
2020040195.tif 000016
【図１５】
2020040195.tif 000017
【図１６】
2020040195.tif 000018
【図１７】
2020040195.tif 000019